(57)【要約】【課題】  自車の走行の障害とならない停止物を対象とする不必要な車両制御が行われるのを防止する。【解決手段】  レーダー装置で検知した先行車との車間距離が所定値以下になると自動制動を行ったり運転者に警報を発したりして衝突の発生を防止するものにおいて、先行車のような移動物を検知するためのレーダー装置の反射波の受信レベルの閾値（実線で示す移動物用検知閾値）に対し、停止物を検知するための反射波の受信レベルの閾値（破線で示す停止物用検知閾値）を所定の領域で高く設定する。これにより、自車の障害とならないゲートや路上落下物を検知して障害物であると誤認するのを防止し、ゲートや路上落下物に対して必要のない自動制動や警報が行われるのを防止することができる。【選択図】      図７
2008040646.tif 000002
【特許請求の範囲】
【請求項１】
車両に取り付けられて所定の検知エリアに向けて電磁波を送信する送信手段（Ｒａ）と、
送信手段（Ｒａ）が送信した電磁波が物体に反射された反射波を受信する受信手段（Ｒｂ）と、
受信手段（Ｒｂ）により受信された反射波のうち検知閾値以上の受信レベルを有する反射波に基づいて物体を検知する物体検知手段（Ｍ１）と、
物体検知手段（Ｍ１）の検知結果に基づいて車両の制御を行う車両制御手段（Ｍ２）とを備えた車両制御装置において、
物体検知手段（Ｍ１）にて検知する物体を移動物および停止物の何れかに判別する物体種別判別手段（Ｍ３）と、
前記検知閾値とは異なる停止物用検知閾値を設定する停止物用検知閾値設定手段（Ｍ４）とを備え、
車両制御手段（２）は、停止物と判定された物体からの反射波の受信レベルが前記停止物用検知閾値以下の場合には、該停止物を制御対象から除外することを特徴とする車載制御装置。
【請求項２】
車両に取り付けられて所定の検知エリアに向けて電磁波を送信する送信手段（Ｒａ）と、
送信手段（Ｒａ）が送信した電磁波が物体に反射された反射波を受信する受信手段（Ｒｂ）と、
受信手段（Ｒｂ）により受信された反射波のうち検知閾値以上の受信レベルを有する反射波に基づいて物体を検知する物体検知手段（Ｍ１）と、
物体検知手段（Ｍ１）の検知結果に基づいて車両の制御を行う車両制御手段（Ｍ２）とを備えた車両制御装置において、
物体検知手段（Ｍ１）にて検知する物体を移動物および停止物の何れかに判別する物体種別判別手段（Ｍ３）と、
前記検知閾値とは異なる停止物用検知閾値を設定する停止物用検知閾値設定手段（Ｍ４）とを備え、
車両制御手段（Ｍ２）は、停止物と判定された物体からの反射波の受信レベルが前記停止物用検知閾値以下の場合には、該停止物に対する車両の制御内容を変更することを特徴とする車載制御装置。
【請求項３】
車両制御手段（Ｍ２）は、車両進行方向に存在する物体に対する減速制御を行うとともに、停止物と判定された物体からの反射波の受信レベルが前記停止物用検知閾値以下の場合には停止物に対する減速制御を抑制することを特徴とする、請求項２に記載の車両制御装置。
【請求項４】
停止物用検知閾値設定手段（Ｍ４）は、前記停止物用検知閾値を所定の距離範囲において前記検知閾値よりも大きな値に設定することを特徴とする、請求項１〜請求項３の何れか１項に記載の車両制御装置。
【請求項５】
前記所定の距離範囲は、車両の前方略５ｍから３０ｍの範囲であることを特徴とする、請求項４に記載の車両制御装置。
【請求項６】
停止物用検知閾値設定手段（Ｍ４）は、前記停止物用検知閾値を複数の距離範囲においてそれぞれ異なる値に設定することを特徴とする、請求項１〜請求項３の何れか１項に記載の車両制御装置。
【請求項７】
前記複数の距離範囲のうち第１の距離範囲は略５ｍから２０ｍの範囲であり、また第２の距離範囲は略２０ｍから３０ｍの範囲であり、停止物用検知閾値設定手段（Ｍ４）は、第２の距離範囲における前記停止物用検知閾値を第１の距離範囲における前記停止物用検知閾値よりも小さい値とすることを特徴とする、請求項６に記載の車両制御装置。
【請求項８】
車速を検出する車速検出手段（Ｖ）と、検知された物体と車両との相対速度を算出する相対速度算出手段（Ｍ５）とを備え、物体種別判別手段（Ｍ３）は、車速と相対速度とに基づいて検知した物体が移動物あるいは停止物の何れかであると判別することを特徴とする、請求項１〜請求項７の何れか１項に記載の車両制御装置。
【発明の詳細な説明】
【技術分野】
【０００１】
本発明は、車両に取り付けられて所定の検知エリアに向けて電磁波を送信する送信手段と、送信手段が送信した電磁波が物体に反射された反射波を受信する受信手段と、受信手段により受信された反射波のうち検知閾値以上の受信レベルを有する反射波に基づいて物体を検知する物体検知手段と、物体検知手段の検知結果に基づいて車両の制御を行う車両制御手段とを備えた車両制御装置に関する。
【背景技術】
【０００２】
ターゲットを検知する検知エリアを複数の小検知エリアに分割し、各小検知エリアからの反射波の受信レベルを距離毎に設定された加算メモリに加算して記憶し、その加算値が閾値を超えた場合にターゲットの距離を検知することで、降雨時や降雪時に雨粒や雪粒からの反射波をターゲットとして誤検知するのを防止するものが、下記特許文献１により公知である。
【特許文献１】特開２０００−９８４１号公報
【発明の開示】
【発明が解決しようとする課題】
【０００３】
ところで、レーダー装置で検知した先行車との車間距離が閾値以下に縮まった場合や、停止物との衝突が避けられない場合に、先行車や停止物との衝突を回避すべく自車を自動的に制動したり、自車の運転者に自発的な制動を促す警報を発したりする衝突被害軽減装置や衝突防止装置では、レーダー装置で検知した路上の跨ぎ越せる落下物や潜り抜けられるゲートのような停止物を障害物と誤認してしまい、その停止物に対して必要の無い自動制動や警報が行われる可能性がある。
【０００４】
本発明は前述の事情に鑑みてなされたもので、自車の走行の障害とならない停止物を対象とする不必要な車両制御が行われるのを防止することを目的とする。
【課題を解決するための手段】
【０００５】
上記目的を達成するために、請求項１に記載された発明によれば、車両に取り付けられて所定の検知エリアに向けて電磁波を送信する送信手段と、送信手段が送信した電磁波が物体に反射された反射波を受信する受信手段と、受信手段により受信された反射波のうち検知閾値以上の受信レベルを有する反射波に基づいて物体を検知する物体検知手段と、物体検知手段の検知結果に基づいて車両の制御を行う車両制御手段とを備えた車両制御装置において、物体検知手段にて検知する物体を移動物および停止物の何れかに判別する物体種別判別手段と、前記検知閾値とは異なる停止物用検知閾値を設定する停止物用検知閾値設定手段とを備え、車両制御手段は、停止物と判定された物体からの反射波の受信レベルが前記停止物用検知閾値以下の場合には、該停止物を制御対象から除外することを特徴とする車載制御装置が提案される。
【０００６】
また請求項２に記載された発明によれば、車両に取り付けられて所定の検知エリアに向けて電磁波を送信する送信手段と、送信手段が送信した電磁波が物体に反射された反射波を受信する受信手段と、受信手段により受信された反射波のうち検知閾値以上の受信レベルを有する反射波に基づいて物体を検知する物体検知手段と、物体検知手段の検知結果に基づいて車両の制御を行う車両制御手段とを備えた車両制御装置において、物体検知手段にて検知する物体を移動物および停止物の何れかに判別する物体種別判別手段と、前記検知閾値とは異なる停止物用検知閾値を設定する停止物用検知閾値設定手段とを備え、車両制御手段は、停止物と判定された物体からの反射波の受信レベルが前記停止物用検知閾値以下の場合には、該停止物に対する車両の制御内容を変更することを特徴とする車載制御装置が提案される。
【０００７】
また請求項３に記載された発明によれば、請求項２の構成に加えて、車両制御手段は、車両進行方向に存在する物体に対する減速制御を行うとともに、停止物と判定された物体からの反射波の受信レベルが前記停止物用検知閾値以下の場合には停止物に対する減速制御を抑制することを特徴とする車両制御装置が提案される。
【０００８】
また請求項４に記載された発明によれば、請求項１〜請求項３の何れか１項の構成に加えて、停止物用検知閾値設定手段は、前記停止物用検知閾値を所定の距離範囲において前記検知閾値よりも大きな値に設定することを特徴とする車両制御装置が提案される。
【０００９】
また請求項５に記載された発明によれば、請求項４の構成に加えて、前記所定の距離範囲は、車両の前方略５ｍから３０ｍの範囲であることを特徴とする車両制御装置が提案される。
【００１０】
また請求項６に記載された発明によれば、請求項１〜請求項３の何れか１項の構成に加えて、停止物用検知閾値設定手段は、前記停止物用検知閾値を複数の距離範囲においてそれぞれ異なる値に設定することを特徴とする車両制御装置が提案される。
【００１１】
また請求項７に記載された発明によれば、請求項６の構成に加えて、前記複数の距離範囲のうち第１の距離範囲は略５ｍから２０ｍの範囲であり、また第２の距離範囲は略２０ｍから３０ｍの範囲であり、停止物用検知閾値設定手段は、第２の距離範囲における前記停止物用検知閾値を第１の距離範囲における前記停止物用検知閾値よりも小さい値とすることを特徴とする車両制御装置が提案される。
【００１２】
また請求項８に記載された発明によれば、請求項１〜請求項７の何れか１項の構成に加えて、車速を検出する車速検出手段と、検知された物体と車両との相対速度を算出する相対速度算出手段とを備え、物体種別判別手段は、車速と相対速度とに基づいて検知した物体が移動物あるいは停止物の何れかであると判別することを特徴とする車両制御装置が提案される。
【発明の効果】
【００１３】
請求項１の構成によれば、物体種別判別手段が物体検知手段にて検知する物体を移動物および停止物の何れかに判別し、停止物用検知閾値設定手段が通常の検知閾値とは異なる停止物用検知閾値を設定し、停止物と判定された物体からの反射波の受信レベルが前記停止物用検知閾値以下の場合には、車両制御手段がその停止物を制御対象から除外するので、自車が衝突する虞がない停止物に対する過剰な車両制御が行われるのを防止することができる。
【００１４】
また請求項２の構成によれば、物体種別判別手段が物体検知手段にて検知する物体を移動物および停止物の何れかに判別し、停止物用検知閾値設定手段が通常の検知閾値とは異なる停止物用検知閾値を設定し、停止物と判定された物体からの反射波の受信レベルが前記停止物用検知閾値以下の場合には、車両制御手段がその停止物に対する車両制御の内容を変更するので、自車が衝突する虞がない停止物に対する過剰な車両制御が行われるのを防止することができる。
【００１５】
また請求項３の構成によれば、車両制御手段が車両進行方向に存在する物体に対する減速制御を行う際に、停止物と判定された物体からの反射波の受信レベルが停止物用検知閾値以下の場合には停止物に対する減速制御を抑制するので、自車が衝突する虞の無い停止物に対して過剰な減速制御が行われるのを防止することができる。
【００１６】
また請求項４の構成によれば、停止物用検知閾値設定手段が停止物用検知閾値を所定の距離範囲において通常の検知閾値よりも大きな値に設定するので、自車が衝突する虞のない停止物を障害物として認識するのを防止することができる。
【００１７】
また請求項５の構成によれば、検知閾値を大きな値に設定する所定の距離範囲を車両の前方略５ｍから３０ｍの範囲としたので、跨ぎ越せる路上落下物のような停止物や、潜り抜けられるゲートのような停止物を障害物として認識するのを確実に防止することができる。
【００１８】
また請求項６の構成によれば、停止物用検知閾値設定手段が停止物用検知閾値を複数の距離範囲においてそれぞれ異なる値に設定するので、検知エリアの下端にかかる路上落下物や検知エリアの上端にかかるゲートに対応する適切な検知閾値を設定することができる。
【００１９】
また請求項７の構成によれば、略２０ｍから３０ｍの第２の距離範囲における停止物用検知閾値を、略５ｍから２０ｍの第１の距離範囲における停止物用検知閾値よりも小さい値としたので、第１の距離範囲に存在する路上落下物および第２の距離範囲に存在するゲートの両方に対してそれぞれ適切な検知閾値を設定することができる。
【００２０】
また請求項８の構成によれば、物体種別判別手段は検知した物体が移動物あるいは停止物の何れかであるかを車速と相対速度とに基づいて判別するので、移動物および停止物を精度良く判別することができる。
【発明を実施するための最良の形態】
【００２１】
以下、本発明の実施の形態を添付の図面に基づいて説明する。
【００２２】
図１〜図１１は本発明の第１の実施の形態を示すもので、図１は車両制御装置の電子制御ユニットのブロック図、図２は先行車がゲートに接近するときの作用説明図、図３は先行車がゲートを通過するときの作用説明図、図４は先行車がゲートを通過して自車がゲートに接近するときの作用説明図、図５は自車がゲートを通過する直前の作用説明図、図６は時間の経過に伴う先行車およびゲートの検知状態を示す図、図７は移動物用の検知閾値および停止物用の検知閾値のエリア毎の値を示す図、図８はメインフローチャートを示す図、図９は今回ターゲット検知サブフローチャートを示す図、図１０は前回ターゲットと引継ぎサブフローチャートを示す図、図１１は前回ターゲット処理サブフローチャートを示す図である。
【００２３】
図１に示すように、本実施の形態の車両制御装置は、電磁波を送信する送信手段Ｒａと、その電磁波が物体に反射された反射波を受信する受信手段Ｒｂとを備えたレーダー装置Ｒで検知した先行車に対して自車が追従走行する際に、自車と先行車との車間距離が所定値以下になって衝突の可能性が高まる場合や停止物との衝突が避けられない場合に、自動制動により自車を制動する衝突防止システムＳと、運転者に自発的な制動を促す警報ユニットＷとを作動させるようになっている。レーダー装置Ｒ、衝突防止システムＳおよび警報ユニットＷに接続された電子制御ユニットＵは、物体検知手段Ｍ１と、車両制御手段Ｍ２と、物体種別判別手段Ｍ３と、停止物用検知閾値設定手段Ｍ４と、相対速度算出手段Ｍ５とを備える。
【００２４】
物体検知手段Ｍ１は、レーダー装置Ｒの受信手段Ｒｂが受信した反射波の受信レベルを所定の検知閾値と比較し、受信レベルが検知閾値以上の物体をだけ検知する。その際に物体種別判別手段Ｍ３が車速検出手段Ｖで検出した自車の車速と、相対速度算出手段Ｍ５で検出した物体の相対速度とに基づいて物体の種別、つまり移動物であるか停止物であるかを判別し、かつ停止物用検知閾値設定手段Ｍ４が移動物用の検知閾値とは異なる停止物用の検知閾値を別個に設定することで、物体検知手段Ｍ１は移動物および停止物をそれぞれ別の検知閾値で検知する。そして車両制御手段Ｍ２は、検知した移動物および停止物に自車が衝突しないように衝突防止システムＳや警報ユニットＷの作動を制御する。
【００２５】
次に、図２〜図５に基づいて自車が先行車に追従して高さの低いゲートを通過する場合の作用を説明する。
【００２６】
衝突防止システムＳを搭載した自車は、レーダー装置Ｒにより先行車等の物体に対して所定距離以内に接近したことを検知すると、自動制動を行ったり運転者に対して警報を発したりして衝突事故の発生を防止する。このとき、ゲートバーは自車が衝突する可能性がないにも関わらず、衝突する可能性があると誤認することがあるため、その誤認を防止して過剰な制御（自動制動や警報）が行われないようにする。
【００２７】
先ず図２（Ｔｉｍｅ−１）において、自車の前方を走行する先行車がゲートに接近したとき、自車のレーダー装置Ｒは先行車およびゲートを検知する。通常、レーダー装置Ｒの上下方向の検知範囲はゲートや歩道橋を検知しないように設定されているが、車体後部に重量物を搭載したためにレーダー装置Ｒが上向きになると、高さの低いゲートを検知する場合がある。
【００２８】
即ち、従来例では先行車（移動物）およびゲート（停止物）の両方に対してレーダー装置Ｒの検知閾値が同じに設定されていたため、先行車およびゲートからの反射波の受信レベルが共に閾値以上となり、先行車およびゲートの両方が障害物として検知されていた。また本実施の形態でも、ゲートまでの距離が遠いために停止物に対する検知閾値が移動物に対する検知閾値と同じに設定されているため、やはりゲートは障害物として検知される。しかしながら、ゲートの位置が衝突防止システムＳの作動エリア外であるため、自動制動や警報が実行されることはない。
【００２９】
図３（Ｔｉｍｅ−２）に示すように、先行車がゲートを通過する位置に達したとき、従来例では先行車およびゲートが共に検知され、本実施の形態でも未だゲートの距離が遠いために先行車およびゲートが共に検知される。この場合も、ゲートの位置が衝突防止システムＳの作動エリア外であるため、自動制動や警報が実行されることはない。
【００３０】
図４（Ｔｉｍｅ−３）に示すように、先行車がゲートを通過し終わったとき、従来例では先行車およびゲートが共に検知されるのに対し、本実施の形態では、停止物に対する検知閾値が所定の距離範囲で高く設定されているので、ゲートは障害物として検知されない。よって、ゲートの位置が衝突防止システムＳの作動エリア内であっても、自動制動や警報が実行されることはない。
【００３１】
図５（Ｔｉｍｅ−４）に示すように、自車がゲートに接近して該ゲートがレーダー装置Ｒの検知範囲から外れても、レーダー装置Ｒは先行車を検知し続ける。
【００３２】
図２（Ｔｉｍｅ−１）〜図５（Ｔｉｍｅ−４）の期間、レーダー装置Ｒで検知された先行車と自車との車間距離が所定値以下になると、先行車との衝突を回避するための自動制動や警報が通常どおり実行される。しかしなら、本実施の形態によれば、図４の状態（Ｔｉｍｅ−３）で停止物に対する検知閾値が所定の距離範囲で高く設定されているので、図６（Ｂ）に示すようにゲートは障害物として検知されなくなり、ゲートを障害物と誤認して該ゲートを対象とした不必要な自動制動や警報が実行されるの防止することができる。一方、従来例では図４の状態（Ｔｉｍｅ−３）で停止物に対する検知閾値が従来どおり低く設定されているので、図６（Ａ）に示すようにゲートを障害物と誤認して該ゲートを対象として不必要な自動制動や警報が実行されることになる。
【００３３】
図７は移動物用の検知閾値（実線参照）と停止物用の検知閾値（破線参照）とを示すものである。何れの閾値も自車から前方に測った距離の関数であって、０ｍから５ｍまでの至近距離（領域Ｃ）では移動物用の検知閾値および停止物用の検知閾値は−１０ｄＢから−２０ｄＢへと減少する。この至近距離で検知閾値を高めに設定するのは、雪粒や雨粒からの反射波を先行車やゲートのようなターゲットからの反射波として誤検知するのを防止するためである。
【００３４】
自車から前方に測った距離が５ｍより遠方の領域では、移動物用の検知閾値は一定値の−２０ｄＢに固定される。それに対して停止物用の検知閾値は５ｍから２０ｍまでの領域Ａで−１０ｄＢに増加し、更に１５ｍから３０ｍの領域Ｂでも−１０ｄＢに増加し、３０ｍ以遠の領域で移動物用の検知閾値と同じ−２０ｄＢに固定される。５ｍから２０ｍまでの領域Ａで停止物用の検知閾値を−１０ｄＢに増加させるのは、路上落下物が検知ビームの下端で検知されてしまうのを防止するためである。また１５ｍから３０ｍまでの領域Ｂで停止物用の検知閾値を−１０ｄＢに増加させるのは、低いゲートが検知ビームの上端で検知されてしまうのを防止するためである。
【００３５】
次に、上記作用を図８〜図１１のフローチャートに基づいて更に詳細に説明する。
【００３６】
図８のメインフローのステップＳ１で今回ターゲット検知サブフローを実行し、ステップＳ２で前回ターゲットと引継ぎサブフローを実行し、ステップＳ３で前回ターゲット処理サブフローを実行し、ステップＳ４で今回ターゲットメモリの出力フラグ＝１のターゲットを電子制御ユニットＵに出力して自動制動や警報を実行し、ステップＳ５で今回ターゲットモメリのデータを前回ターゲットメモリに移動させる。
【００３７】
図９は図８のフローチャートのステップＳ１（今回ターゲット検知サブフロー）の内容を示すもので、先ずステップＳ１１でターゲットからの反射波を検知し、その距離と、左右位置と、相対速度とを算出して今回ターゲットメモリに記憶し、ステップＳ１２で今回ターゲットメモリから今回ターゲットを呼び出す。続くステップＳ１３で「自車速」＋「自車およびターゲットの相対速」が、検知誤差である−１０ｋｍから＋１０ｋｍの範囲にあれば、つまりターゲットが自車速±１０ｋｍの速度で自車に接近していれば、そのターゲットを停止物であると判断し、ステップＳ１４に移行する。
【００３８】
ステップＳ１４で今回ターゲットの反射レベルを、停止物用の反射レベルの閾値（図７参照）と比較し、停止物用の反射レベルの閾値＜今回ターゲットの反射レベルが成立しなければ、今回ターゲットは自車が衝突する虞のないターゲット、つまり路上落下物やゲートであると判断し、ステップＳ１５でその今回ターゲットをメモリから削除する。そしてステップＳ１６で全ての今回ターゲットを処理するまで、前記ステップＳ１２〜ステップＳ１５を繰り返す。
【００３９】
このように、今回ターゲットの反射レベルが停止物用の反射レベルの閾値以下であると、今回ターゲットをメモリから削除するので、その今回ターゲットに基づく不必要な車両制御が実行されるのを未然に防止することができる。
【００４０】
図１０は図８のフローチャートのステップＳ２（前回ターゲットと引継ぎサブフロー）の内容を示すもので、先ずステップＳ２１で今回ターゲットを今回ターゲットメモリから呼び出し、ステップＳ２２で前回ターゲットと引継ぎを確認する。この引継ぎは、自車位置に対する前回ターゲットの相対位置を基準とし、それに前回ターゲットの相対速度を考慮して今回ターゲットの相対位置を推定し、その推定位置の近傍に今回ターゲットが存在すれば、今回ターゲットが前回ターゲットと同一物であるとして引継がれる。
【００４１】
ステップＳ２３で今回ターゲットが前回ターゲットを引継いだものであれば、ステップＳ２４で出力フラグを「１」にセットし、引継いだものでなければ、ステップＳ２５で出力フラグを「０」にクリアする。そしてステップＳ２６で全ての今回ターゲットを呼び出すまで、前記ステップＳ２１〜ステップＳ２５を繰り返す。
【００４２】
出力フラグが「１」にセットされた今回ターゲットは、図８のフローチャートのステップＳ４で電子制御ユニットＵに出力され、衝突防止システムＳの制御対象となる。今回ターゲットが前回ターゲットを引継いだものでないために信頼性が低い場合には、出力フラグが「０」にクリアされるため、その今回ターゲットに基づく車両制御が実行されることはない。
【００４３】
図１１は図８のフローチャートのステップＳ３（前回ターゲット処理サブフロー）の内容を示すもので、先ずステップＳ３１で前回ターゲットを前回ターゲットメモリから呼び出し、ステップＳ３２で前記呼び出した前回ターゲットが今回ターゲットに引継いだターゲットでなければ、ステップＳ３３で外挿カウンタを１インクリメントする。ステップＳ３４で外挿カウンタのカウント値が５未満であれば、ステップＳ３５で前回データから今回データを予測し、つまりターゲットの前回位置から今回位置を予測し、ステップＳ３６でそのターゲットが衝突防止システムＳの制御対象になるように出力フラグを「１」にセットする。続くステップＳ３７で予測した今回データを今回ターゲットデータに記憶するとともに、外挿カウンタのカウント値も記憶する。
【００４４】
前記ステップＳ３２で前記呼び出した前回ターゲットが今回ターゲットに引継いだターゲットである場合と、前記ステップＳ３４で外挿カウンタのカウント値が６を超えた場合と、前記ステップＳ３７を通過した場合とには、ステップＳ３８で全ての前回ターゲットを呼び出すまで、前記ステップＳ３１〜ステップＳ３７を繰り返す。
【００４５】
図１２〜図１４は本発明の第２の実施の形態を示すもので、図１２はメインフローチャートを示す図、図１３はレーダーターゲット検知サブフローチャートを示す図、図１４は今回ターゲット検知サブフローチャートを示す図である。
【００４６】
第１の実施の形態では、今回ターゲットの検知段階で停止物の反射波の受信レベルが停止物用検知閾値以下の場合には、そのターゲットを削除して検知しなかったことにしているが、第２の実施の形態では外挿カウンタを「１」にセットしてターゲットの削除は行わない。通常、前回データから今回データを予測して外挿データとするが、停止物の反射  波の受信レベルが停止物用検知閾値以下となり、外挿入カウンタを「１」にセットした場合は、前回データからの今回データの予測は行わず、検知されたデータをそのまま利用する。
【００４７】
また電子制御ユニットＵの処理で、外挿データも車両制御の対象とするが、１／２アシスト制御とすることで、実データに比べて精度が低い外挿データに応じた車両制御を実行することができる。１／２アシスト制御とは、車両制御の強さをフルアシスト制御よりも弱めることを意味しており、例えば、自動制動を行う場合には、その制動力の減速度をフルアシスト時よりも低く設定したり、フルアシスト時に自動制動および警報を併用する場合には、自動制動を行わずに警報のみを行うことに相当する。
【００４８】
図１２のメインフローのステップＳ４１で車速やヨーレート等の車両データを入手し、ステップＳ４２でレーダー装置Ｒに車両情報を送信し、ステップＳ４３で後述するレーダーターゲット検知サブフローを実行する。続くステップＳ４４でレーダー検知ターゲットを電子制御ユニットＵに送信し、ステップＳ４５で車両情報とレーダー検知ターゲットとから衝突予測を行い、ステップＳ４６で衝突の可能性があるターゲットが存在し、かつステップＳ４７で外挿カウンタのカウント値が１以上のターゲットが存在すれば、ステップＳ４８で１／２アシスト制御を実行し、存在しなければ、ステップＳ４９でフルアシスト制御を実行する。
【００４９】
図１３は図１２のフローチャートのステップＳ４３（レーダーターゲット検知サブフロー）の内容を示すもので、それは基本的の前記図８のフローチャートと同じであるが、そのステップＳ４′で今回ターゲットメモリの出力フラグ＝１のターゲットを電子制御ユニットＵに出力すると同時に、外挿カウンタのカウント値も併せて出力する点だけが異なっている。
【００５０】
図１４は図１３のフローチャートのステップＳ１（今回ターゲット検知サブフロー）の内容を示すもので、それは基本的の前記図９のフローチャートと同じであるが、そのステップＳ１５′で今回ターゲットを削除する代わりに、外挿カウンタを「１」にセットする点だけが異なっている。
【００５１】
以上、本発明の実施の形態を説明したが、本発明はその要旨を逸脱しない範囲で種々の設計変更を行うことが可能である。
【００５２】
例えば、移動物用の検知閾値の設定は、図７の例に限定されるものではない。図１５（Ａ）に示すものは、路上落下物の検知防止のために、５ｍから２０ｍまでの領域Ａだけで検知閾値を−１０ｄＢに増加させたものである。図１５（Ｂ）に示すものは、低いゲートの検知防止のために、１５ｍから３０ｍまでの領域Ｂだけで検知閾値を−１０ｄＢに増加させたものである。図１５（Ｃ）に示すものは、５ｍから２０ｍまでの領域Ａで検知閾値を−１０ｄＢに増加させ、１５ｍから３０ｍまでの領域Ｂで検知閾値を−１５ｄＢに増加させたものであり、このようにすれば検知エリアの下端にかかる路上落下物や検知エリアの上端にかかるゲートに対応する適切な検知閾値を設定することができる。
【図面の簡単な説明】
【００５３】
【図１】車両制御装置の電子制御ユニットのブロック図
【図２】先行車がゲートに接近するときの作用説明図
【図３】先行車がゲートを通過するときの作用説明図
【図４】先行車がゲートを通過して自車がゲートに接近するときの作用説明図
【図５】自車がゲートを通過する直前の作用説明図
【図６】時間の経過に伴う先行車およびゲートの検知状態を示す図
【図７】移動物用の検知閾値および停止物用の検知閾値のエリア毎の値を示す図
【図８】メインフローチャートを示す図
【図９】今回ターゲット検知サブフローチャートを示す図
【図１０】前回ターゲットと引継ぎサブフローチャートを示す図
【図１１】前回ターゲット処理サブフローチャートを示す図
【図１２】第２の実施の形態に係るメインフローチャートを示す図
【図１３】レーダーターゲット検知サブフローチャートを示す図
【図１４】今回ターゲット検知サブフローチャートを示す図
【図１５】検知閾値の他の設定例を示す図
【符号の説明】
【００５４】
Ｍ１        物体検知手段
Ｍ２        車両制御手段
Ｍ３        物体種別判定手段
Ｍ４        停止物用検知閾値設定手段
Ｍ５        相対速度算出手段
Ｒａ        送信手段
Ｒｂ        受信手段
Ｖ          車速検出手段
【図１】
2008040646.tif 000003
【図２】
2008040646.tif 000004
【図３】
2008040646.tif 000005
【図４】
2008040646.tif 000006
【図５】
2008040646.tif 000007
【図６】
2008040646.tif 000008
【図７】
2008040646.tif 000009
【図８】
2008040646.tif 000010
【図９】
2008040646.tif 000011
【図１０】
2008040646.tif 000012
【図１１】
2008040646.tif 000013
【図１２】
2008040646.tif 000014
【図１３】
2008040646.tif 000015
【図１４】
2008040646.tif 000016
【図１５】
2008040646.tif 000017